(57)【特許請求の範囲】
【請求項１】
機体後部に支持した排藁カッターの後面側に排藁ドロッパーを設けて、排藁を細断あるいはドロッパー処理に切換可能としたコンバインにおいて、上記排藁ドロッパーへの排藁の集束経路に臨む藁落下防止ガイドを設け、該藁落下防止ガイドの基端部を機体側に装着すると共に、上記藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことを特徴とするコンバインの排藁ドロッパーにおける藁落下防止ガイド。
【請求項２】
機体後部に支持した排藁カッターの後面側に排藁ドロッパーを設けて、排藁を細断あるいはドロッパー処理に切換可能としたコンバインにおいて、上記排藁ドロッパーへの排藁の集束経路に臨む藁落下防止ガイドを設け、該藁落下防止ガイドの基端部を、機体側に固定した取付けベースに支点ピンを介して回動自在に装着すると共に、上記取付ベースに設けた調節孔に、藁落下防止ガイド側の上記回動支点ピンより後方に設けた位置決めピンを上方から選択抜き差しして、藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことを特徴とするコンバインの排藁ドロッパーにおける藁落下防止ガイド。
【発明の詳細な説明】
【０００１】
【発明の属する技術分野】
本発明は、脱穀装置から排出される排藁を排藁ドロッパーで集束して機体の側方に放出するコンバインに係り、詳しくは、排藁ドロッパーに設けた藁落下防止ガイドの取付姿勢を作業内容に応じて切換可能としたコンバインの排藁ドロッパーにおける藁落下防止ガイドに関するものである。
【０００２】
【従来の技術】
一般に、機体後部に支持した排藁カッターの後面側に排藁ドロッパーを設けて、脱穀装置からの排藁を細断あるいはドロッパー処理に切換可能としたコンバインにおいては、ドロッパー処理時に排藁を機体の側方へ放出するため、排藁ドロッパーを後方へ張り出した作業状態と排藁カッター側に近接させた収納状態とに回動可能としたものが知られている。このような排藁ドロッパーには、集束作業中、排藁が排藁ドロッパーの集束経路から外れて落下するのを防止するため藁落下防止ガイドを設けている。
【０００３】
ところが、従来の藁落下防止ガイドは、基端部を機体の上面に固定し、後端側を下方に折曲して排藁ドロッパーの集束経路に臨む突出状に形成しているので、排藁ドロッパーを排藁カッター側に近接させて収納姿勢とした時、あるいは保守点検等のため、排藁カッターを側方に回動しようとする時には、突出状に形成した藁落下防止ガイドが邪魔になるので、いちいち取付ボルトを緩めて藁落下防止ガイドを移動しなければならないという問題があった。
【０００４】
なお、藁落下防止ガイドを排藁カッターに取り付ければ、藁落下防止ガイドが排藁カッターと同時に回動するので、排藁カッターを回動させる時の邪魔にはならないが、排藁ドロッパーを収納姿勢とした時には、依然として取付ボルトを緩めて藁落下防止ガイドを移動する必要があった。
【０００５】
【発明が解決しようとする課題】
本発明は、上記のような従来の問題点を解決すべく創作されたものであって、排藁ドロッパーによる排藁の集束作業時には、藁落下防止ガイドによって排藁が集束経路から外れて落下するのを防止でき、しかも、藁落下防止ガイドの取付姿勢を作業内容に応じて容易に切換えることができるコンバインの排藁ドロッパーにおける藁落下防止ガイドを提供しようとするものである。
【０００６】
【課題を解決するための手段】
上記の課題を解決するため、本発明が講じた技術的手段は、機体後部に支持した排藁カッターの後面側に排藁ドロッパーを設けて、排藁を細断あるいはドロッパー処理に切換可能としたコンバインにおいて、上記排藁ドロッパーへの排藁の集束経路に臨む藁落下防止ガイドを設け、該藁落下防止ガイドの基端部を機体側に装着すると共に、上記藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことを特徴とし、また、上記排藁ドロッパーへの排藁の集束経路に臨む藁落下防止ガイドを設け、該藁落下防止ガイドの基端部を、機体側に固定した取付けベースに支点ピンを介して回動自在に装着すると共に、上記取付ベースに設けた調節孔に、藁落下防止ガイド側の上記回動支点ピンより後方に設けた位置決めピンを上方から選択抜き差しして、藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことを特徴とするものである。
【０００７】
【発明の実施の形態】
次に本発明の実施の形態を、添付した図面に基いて詳細に説明する。まず図１において、１はコンバインであって、クローラ走行装置２を備えた機体上に脱穀部３が搭載され、その前方には刈取部４が昇降自在に装着されている。
【０００８】
５は機体の後部に装着した側方に開閉可能な排藁カッター装置であって、その上方には脱穀部３からの排藁を搬送する排藁搬送装置６が配設され、その後端が排藁排出部７となっている。８は排藁カッター装置５の上面を開閉するスライドカバーである。
【０００９】
９は上記排藁搬送装置６の上面を覆う排藁カバーであって、その後端には排藁排出部７を開閉する後面カバー１０が装着されており、排藁カバー８の上面に固定した取付ベース１１には、後述する藁落下防止ガイド１２の基端部が支点ピン１３によって取付姿勢変更可能に枢支されている。
【００１０】
１４は排藁排出部７の後方下方に設けた排藁ドロッパーであって、この排藁ドロッパー１４は図２〜図４に示すように、フォールバー１５と、その基端部に固定した水平状の支持軸１６と、この支持軸１６の穂先側を回動自在なパイプ１７を介して支持した支持枠１８等で構成され、パイプ１７の外端に立設したアーム１９が引張スプリング２０で前方に引張られており、圧縮スプリング２１がパイプ１７を押圧している。
【００１１】
また、パイプ１７の内端に突成したプレート２２には複数の係止孔が形成されており、支持軸１６に突成したプレート２３のピン２４を前記係止孔に選択嵌入することにより、引張スプリング２０で付勢されているフォールバー１５を、上方に回動した収納姿勢から後方に突出する集稈姿勢および下降した連続放出姿勢とすることができる。
【００１２】
そして、上記排藁ドロッパー１４は、排藁カッター装置５の後部に設けた右側サポート２５の回動軸を軸心として後方に張り出した作業位置と排藁カッター装置５側へ近接させた収納位置とに回動可能となっている。
【００１３】
２６は排藁カッター装置５に設けた左側サポートであって、その後方に向けて突出した突出部に左側アーム２７が水平回動自在に枢支されている。また２８は前記支持軸１６の直前方に設けたガイドバーであって、このガイドバー２８の穂先側が支持枠１８に支持されている。そして排藁ドロッパー１４を作業位置としたときには、ガイドバー２８の株元側が左側アーム２７の挿入部２９に挿入され、また支持軸１６の株元側が左側アーム２７の係止孔に挿入される。
【００１４】
３０は排藁排出部７の下方に設けた流し板であって、この流し板３０は、上部流し板３０aと下部流し板３０bとに分割され、その連結部が蝶番３１によって屈曲自在に連結されており、また、上部流し板３０aの上端縁が、排藁カッター装置５の後面に蝶番３２によって蝶着されている。
【００１５】
そして下部流し板３０bの裏面側には、前記ガイドバー２８と嵌合するバネ材からなる嵌合部３３が設けてあって、この嵌合部３３をガイドバー２８に嵌合することによって、流し板３０が屈曲状の排藁案内姿勢に固定される。３４は排藁案内姿勢の流し板３０に取付た株元ガイド板、３５は株元ガイド板３４を着脱するノブボルト、３６は左側アーム２７に設けたフックである。
【００１６】
また、ガイドバー２８から嵌合部３３を離脱させて、流し板３０の固定を解除すれば、蝶番３１によって連結した上部流し板３０aと下部流し板３０bとは、取付部の蝶番３２の位置から下方に垂下して排藁カッター装置５の後面に沿った扁平状の収納姿勢に伸展するようになっている。
【００１７】
そして前記藁落下防止ガイド１２は次のように構成されている。すなわち、図３および図６に示すように、排藁カバー９の上面に、取付ベース１１がフレーム３７を介して固定されている。また左右一対のガイド杆１２aからなる藁落下防止ガイド１２の基端部が押え板３８を介してブラケット３９にボルト固定されており、ブラケット３９の前端部が皿バネ４０を介装した支点ピン１３によって取付ベース１１に回動自在に弾圧枢支されている。
【００１８】
一方、取付ベース１１には調節孔ａ，ｂ，ｃが支点ピン１３の位置を中心として同心状に形成されており、ブラケット３９には上記調節孔ａ，ｂ，ｃ に上方から選択抜き差しされる位置決めピン４１が溶接固定されている。
【００１９】
そして位置決めピン４１を中央の調節孔bに挿入したときには、図３で示すように藁落下防止ガイド１２が作業状態とした排藁ドロッパー１４の集束経路に臨むようになり、位置決めピン４１を左側の調節孔aに挿入したときには、藁落下防止ガイド１２が収納状態とした排藁ドロッパー１４の後面に接近したコンパクトな状態となる。そして 、位置決めピン４１を右側の調節孔ｃに挿入したときには、図５で示すように、藁落下防止ガイド１２は機体の右側方位置に取付姿勢が変更されて、藁落下防止ガイド１２に邪魔されることなく、排藁カッター装置５を自由に回動開放できるようになっている。
【００２０】
上記のように構成したので、圃場の穀稈を刈取脱穀する場合は、まず、藁落下防止ガイド１２の位置決めピン４１を中央の調節孔bに挿入する。そして、排藁ドロッパー１４を、後方に張り出した作業位置とし、支持軸１６の先端を左側アーム２７の係止孔に挿入する。ついで、ガイドバー２８の株元側を左側アーム２７の挿入部２９に挿入した後、下部流し板３０bに設けた嵌合部３３をガイドバー２８に嵌合すれば、流し板３０を屈曲状の排藁案内姿勢に固定することができる。また流し板３０に株元ガイド板３４をノブボルト３５で固定する。
【００２１】
この状態で排藁を排藁搬送装置６の終端から排出すると、排藁は流し板３０上を滑落し、排藁ドロッパー１４のフォールバー１５により受け止められて集稈されるが、藁落下防止ガイド１２が排藁ドロッパー１４の集束経路に臨んでいるので、排藁が集束経路から外れて落下するのを防止することができる。ついで集稈された量が増大するにつれてフォールバー１５が引張スプリング２０に抗して下降回動し、所定量集稈されると、フォールバー１５が一挙に下降して排藁を圃場の右側に放出する。
【００２２】
また、機体収納時や路上走行時には、株元ガイド板３４を取外して流し板３０の終端部を引上げれば、下部流し板３０bに設けた嵌合部３３がガイドバー２８から外れるので、流し板３０は蝶番３２の位置から下方に垂下してカッター装置５の後面に沿った収納姿勢に伸展する。
【００２３】
ついでガイドバー２８を左側アーム２７の挿入部２９から抜けば、排藁ドロッパー１４と左側アーム２７とを排藁カッター装置５側に折り畳んで収納姿勢とすることができる。フォールバー１５は上方に回動させて支持軸１６を左側アーム２７のフック３６に引っ掛けておけばよい。そして藁落下防止ガイド１２の位置決めピン４１を、左側の調節孔aに挿入すれば、藁落下防止ガイド１２を収納姿勢とした排藁ドロッパー１４の後面に接近させたコンパクトな状態にすることができる。
【００２４】
また、機体の保守点検時等には、藁落下防止ガイド１２の位置決めピン４１を右側の調節孔ｃに挿入すれば、藁落下防止ガイド１２の取付姿勢が機体の右側方位置に変更されるので、排藁カッター装置５を自由に回動開放して保守点検作業等を行うことができる。
【００２５】
そして、藁落下防止ガイド１２の基端部を固定したブラケット３９が、皿バネ４０を介装した支点ピン１３によって取付ベース１１に弾圧枢支されているので、藁落下防止ガイド１２の位置決めピン４１を上方から調節孔に選択抜き差しする際には、皿バネ４０の付勢力と藁落下防止ガイド１２の自重とが作用するので、位置決めピン４１が調節孔に入り易く、しかも一旦調節孔に入った位置決めピン４１は、作業中、不用意に外れることはない。
【００２６】
【発明の効果】
これを要するに本発明は、機体後部に支持した排藁カッターの後面側に排藁ドロッパーを設けて、排藁を細断あるいはドロッパー処理に切換可能としたコンバインにおいて、上記排藁ドロッパーへの排藁の集束経路に臨む藁落下防止ガイドを設け、該藁落下防止ガイドの基端部を機体側に装着すると共に、上記藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことを特徴とし、また、上記排藁ドロッパーへの排藁の集束経路に臨む藁落下防止ガイドを設け、該藁落下防止ガイドの基端部を、機体側に固定した取付けベースに支点ピンを介して回動自在に装着すると共に、上記取付ベースに設けた調節孔に、藁落下防止ガイド側の上記回動支点ピンより後方に設けた位置決めピンを上方から選択抜き差しして、藁落下防止ガイドの取付姿勢を、排藁ドロッパーの集束経路に臨んで排藁が集束経路から外れて落下するのを防止する排藁ドロッパーの作業状態と排藁カッター側へ接近させた収納状態および排藁カッターを右側支点で回動開閉できるように排藁カッターの右側方位置に移動した保守点検作業状態とに切換可能としたことから、排藁ドロッパーによる排藁の集束作業時には、排藁の集束経路に臨む藁落下防止ガイドによって排藁が集束経路から外れて落下するのを防止でき、しかも、藁落下防止ガイドの取付姿勢を、排藁ドロッパーの作業状態から収納状態、および排藁カッターの開閉回動が可能な保守点検作業状態に切換えることができるので、排藁ドロッパーへの集束経路に臨む藁落下防止ガイドがあっても、機体の収納あるいは保守点検等を容易に行うことができる。
【００２７】
また、上記藁落下防止ガイドの取付姿勢を切換る際には、機体側に固定した取付ベースの調節孔に、藁落下防止ガイド側の支点ピンより後方に設けた位置決めピンを上方から抜き差しするので、藁落下防止ガイドの荷重により位置決めピンが調節孔に入り易いうえ、一旦入った位置決めピンは作業中、不用意に外れることはない。
【図面の簡単な説明】
【図１】排藁ドロッパーと藁落下防止ガイドを備えたコンバインの全体斜視図である。
【図２】排藁ドロッパーの斜視図である。
【図３】同上平面図である。
【図４】同上収納状態の斜視図である。
【図５】排藁カッター装置を回動した状態の斜視図である。
【図６】１．藁落下防止ガイドの取付基端部を示す平面図である。
２．同上側面図である。
３．同上背面図である。
【符号の説明】
５            排藁カッター装置
１１          取付ベース
１２          藁落下防止ガイド
１４          排藁ドロッパー
４１          位置決めピン
【図１】
0004036587.tif 000002
【図２】
0004036587.tif 000003
【図３】
0004036587.tif 000004
【図４】
0004036587.tif 000005
【図５】
0004036587.tif 000006
【図６】
0004036587.tif 000007